(57)【特許請求の範囲】
【請求項１】
固定側部材に支持された可動支持部材と、ディスクに対向する対物レンズを保持するレンズホルダと、前記可動支持部材と前記レンズホルダとの間に位置して前記レンズホルダを補正動作自在に支持する支持機構と、前記レンズホルダをフォーカシング方向およびトラッキング方向へ補正動作させる補正駆動機構とが設けられ、
前記固定側部材と前記可動支持部材との間に、前記可動支持部材を、光軸方向と交叉する向きの軸中心線に沿って往復移動自在に支持する軸支持機構と、前記軸中心線上での前記可動支持部材の位置を調整する進退調整機構とが設けられ、
前記軸支持機構では、前記可動支持部材が前記軸中心線を中心として回動自在に支持されており、前記軸中心線を回動中心とする前記可動支持部材の回動方向の姿勢を調整する回動調整機構が設けられていることを特徴とする光ピックアップ装置。
【請求項２】
前記進退調整機構による調整方向は、ディスクのタンジェンシャル方向である請求項１記載の光ピックアップ装置。
【請求項３】
前記回動調整機構による調整方向は、前記光軸がディスクのラジアル方向へ倒れる向きである請求項１または２記載の光ピックアップ装置。
【請求項４】
前記進退調整機構は、前記可動支持部材を前記軸中心線に沿う方向へ付勢するばね部材と、前記固定側部材と前記可動支持部材との間に設けられて、前記軸中心線上での前記可動支持部材の位置を可変させる進退調整ねじとを有する請求項１ないし３のいずれか１項に記載の光ピックアップ装置。
【請求項５】
前記回動調整機構は、前記可動支持部材を回動方向の一方向へ向けて付勢するばね部材と、前記固定側部材と前記可動支持部材との間に設けられて、前記可動支持部材の回動方向の姿勢を可変させる回動調整ねじとを有する請求項１ないし３記載の光ピックアップ装置。
【請求項６】
前記進退調整機構は、前記可動支持部材を前記軸中心線に沿う方向へ付勢するばね部材と、前記固定側部材と前記可動支持部材との間に設けられて、前記軸中心線上での前記可動支持部材の位置を可変させる進退調整ねじとを有し、
前記回動調整機構は、前記可動支持部材を回動方向の一方向へ向けて付勢するばね部材と、前記固定側部材と前記可動支持部材との間に設けられて、前記可動支持部材の回動方向の姿勢を可変させる回動調整ねじとを有しており、
前記進退調整機構に設けられた前記ばね部材と、前記回動調整機構に設けられた前記ばね部材が、共通のトーションコイルばねである請求項１ないし３記載の光ピックアップ装置。
【請求項７】
前記軸中心線と前記光軸が同一平面上に位置する請求項１ないし６のいずれか１項に記載の光ピックアップ装置。
【発明の詳細な説明】
【技術分野】
【０００１】
本発明は、ＤＶＤやＢＤなどが装填されるディスク装置に搭載される光ピックアップ装置に係り、特に、レンズホルダの姿勢を調整する調整機構が設けられた光ピックアップ装置に関する。
【背景技術】
【０００２】
ＤＶＤやＢＤなどのディスクから情報を読み取り、または情報を書き込む光ピックアップ装置は、平行リンクを構成する支持部材の基端部がピックアップベースに固定され、平行リンクの先部にレンズホルダが支持され、レンズホルダに、ディスクに対向する対物レンズが保持されている。ピックアップベースとレンズホルダとの間に、コイルとマグネットを有する補正駆動機構が設けられており、この補正駆動機構により、レンズホルダが対物レンズの光軸方向であるフォーカシング方向へ補正駆動され、また光軸方向と交叉する方向であるトラッキング方向へ補正駆動される。
【０００３】
この種の光ピックアップ装置がディスク装置に搭載されたときに、回転駆動部に装填されているディスクの記録面に対して、対物レンズの光軸がなるべく垂直な向きで当たるように設定することが必要である。
【０００４】
下記の特許文献１および特許文献２には、ピックアップベース上に、平行リンクの基部を支持する支持部の傾き角度を調整する調整機構が設けられ、ディスクの記録面の垂線に対する対物レンズの光軸の傾きを調整できるようにしている。
【先行技術文献】
【特許文献】
【０００５】
【特許文献１】特開平０６−４４５７４号公報
【特許文献２】特開平０９−１８５８３１号公報
【発明の概要】
【発明が解決しようとする課題】
【０００６】
ＢＤやＤＶＤなど高記録密度のディスクが装填されるディスク装置では、ディスクに集光する光スポットのトラッキング補正方向が、ディスクの法線の向きになるべく一致していることが望まれる。光スポットのトラッキング補正方向がディスクの法線から大きく外れると、記録トラックの接線に対する直角方向から角度ずれを起こし、正確なトラッキン補正動作ができなくなる。
【０００７】
特許文献１と特許文献２に記載された光ピックアップ装置の調整機構は、いずれも対物レンズの光軸をディスクのタンジェンシャル方向へ傾けて補正している。そのため、光スポットのトラッキング補正方向が、ディスクの法線方向からずれていた場合に、その補正のために対物レンズの光軸を傾けなくてはならなくなる。しかし、対物レンズの光軸を必要以上に傾けてしまうと、光軸がディスクの記録面に垂直に当たることができなくなり、ディスクの記録面に集光する光スポットに歪みが生じるなどの問題が生じる。
【０００８】
本発明は、上記従来の課題を解決するものであり、対物レンズの光軸を傾けることなく、ディスクの記録面に対して光軸が当たる位置を調整することが可能な調整機構を有する光ピックアップ装置を提供することを目的としている。
【０００９】
また本発明は、同じ軸支持機構を使用して、対物レンズの光軸を傾ける補正と、光軸をディスクの記録面に沿って移動させる補正とを可能とした調整機構を有する光ピックアップ装置を提供することを目的としている。
【課題を解決するための手段】
【００１０】
本発明は、固定側部材に支持された可動支持部材と、ディスクに対向する対物レンズを保持するレンズホルダと、前記可動支持部材と前記レンズホルダとの間に位置して前記レンズホルダを補正動作自在に支持する支持機構と、前記レンズホルダをフォーカシング方向およびトラッキング方向へ補正動作させる補正駆動機構とが設けられ、
前記固定側部材と前記可動支持部材との間に、前記可動支持部材を、光軸方向と交叉する向きの軸中心線に沿って往復移動自在に支持する軸支持機構と、前記軸中心線上での前記可動支持部材の位置を調整する進退調整機構とが設けられ、
前記軸支持機構では、前記可動支持部材が前記軸中心線を中心として回動自在に支持されており、前記軸中心線を回動中心とする前記可動支持部材の回動方向の姿勢を調整する回動調整機構が設けられていることを特徴とするものである。
【００１１】
本発明の光ピックアップ装置は、支持機構を介してレンズホルダを支持している可動支持部材の位置を、光軸方向と交叉する向きの軸中心線に沿って移動させる調整が可能である。この調整により、対物レンズの光軸を傾けることなく、光軸とディスクの記録面との交叉位置を移動させることが可能になり、光スポットを記録面の最適な位置に形成できる。
また、共通の軸支持機構によって、対物レンズの光軸を傾ける補正と、光軸の位置を傾けることなく移動させる補正の双方の補正動作が可能になる。
【００１２】
なお、本発明での「光軸方向と交叉する向きの軸中心線」とは、光軸と軸中心線とが同一平面上で交わる場合に限られるものではなく、光軸と軸中心線とが別々の互いに平行な平面内に位置して交叉することを含む概念である。
【００１３】
本発明は、前記進退調整機構による調整方向が、ディスクのタンジェンシャル方向である。
【００１４】
進退調整機構により、ディスクの記録面での光スポットのトラッキング補正方向を、ディスクの法線になるべく一致させる調整が可能である。この調整により、光スポットのトラッキング補正方向を記録トラックの接線と直交する向きに合わせることが容易になる。
【００１７】
本発明は、前記回動調整機構による調整方向は、前記光軸がディスクのラジアル方向へ倒れる向きであるものとして構成できる。
【００１８】
本発明の前記進退調整機構は、前記可動支持部材を前記軸中心線に沿う方向へ付勢するばね部材と、前記固定側部材と前記可動支持部材との間に設けられて、前記軸中心線上での前記可動支持部材の位置を可変させる進退調整ねじとを有するものである。
【００１９】
また本発明の前記回動調整機構は、前記可動支持部材を回動方向の一方向へ向けて付勢するばね部材と、前記固定側部材と前記可動支持部材との間に設けられて、前記可動支持部材の回動方向の姿勢を可変させる回動調整ねじとを有する。
【００２０】
さらに本発明においては、前記進退調整機構は、前記可動支持部材を前記軸中心線に沿う方向へ付勢するばね部材と、前記固定側部材と前記可動支持部材との間に設けられて、前記軸中心線上での前記可動支持部材の位置を可変させる進退調整ねじとを有し、
前記回動調整機構は、前記可動支持部材を回動方向の一方向へ向けて付勢するばね部材と、前記固定側部材と前記可動支持部材との間に設けられて、前記可動支持部材の回動方向の姿勢を可変させる回動調整ねじとを有しており、
前記進退調整機構に設けられた前記ばね部材と、前記回動調整機構に設けられた前記ばね部材が、共通のトーションコイルばねであることが好ましい。
【００２１】
進退調整機構と回動調整機構とで共通のトーションコイルばねを使用することで、両調整機構を最少限の部品数で構成できる。
【００２２】
本発明は、前記軸中心線と前記光軸が同一平面上に位置することが好ましい。
上記構成では、進退調整機構の調整動作において、対物レンズの光軸が、軸中心線上を移動し、回動調整機構の調整動作では、光軸が軸中心線を中心として倒れる。そのため、回動調整機構によって対物レンズの光軸を傾かせる補正を行ったときに、対物レンズとディスクの記録面との距離の変動を小さくできる。その結果、光軸の傾き調整を行っても、フォーカシング補正動作に悪影響を与えにくい構造となる。
【発明の効果】
【００２３】
本発明の光ピックアップ装置は、対物レンズの光軸を傾けることなく、光軸とディスクの記録面との交叉位置を移動させる補正動作が可能である。
【００２４】
また、本発明は共通の軸支持機構を使用して、対物レンズの光軸を傾ける補正動作と、光軸の位置を移動させる補正動作が可能であり、最少の部品数で２種の補正動作が可能になる。
【図面の簡単な説明】
【００２５】
【図１】本発明の実施の形態の光ピックアップ装置を示す斜視図、
【図２】図１に示す光ピックアップ装置をＩＩ−ＩＩ線で切断して示す断面図、
【図３】図２に示す光ピックアップ装置をＩＩＩ−ＩＩＩ線で切断して示す断面図、
【図４】ディスクの記録面に形成された光スポットを示す説明図
【発明を実施するための形態】
【００２６】
本発明の実施の形態の光ピックアップ装置１は、ＢＤ（ブルーレイ「Ｂｌｕ−ｒａｙ」ディスク）（ただし「Ｂｌｕ−ｒａｙ」は登録商標））やＤＶＤ（ディジタルバーサタイルディスク）に対する情報の再生動作や情報の記録動作が可能である。
【００２７】
各図では、Ｆ１−Ｆ２方向が対物レンズ５の光軸方向で且つフォーカシング方向であり、Ｆ１側がディスクとの対面側である。Ｒ１−Ｒ２方向がラジアル方向（ディスクの半径方向）で且つトラッキング方向であり、Ｒ１側が回転駆動部に装填されるディスクＤの中心側ならびに内周側で、Ｒ２側がディスクＤの外周側である。Ｔ１−Ｔ２方向がタンジェンシャル方向（ディスクに記録されている記録トラックの接線方向）である。Ｔ１方向が前方でありＴ２方向が後方である。
【００２８】
図１に示すように、光ピックアップ装置１は、移動シャーシ２と、移動シャーシ２の上に設けられた複数のブラケット３、およびブラケット３の上に支持されたベース１０を有している。
【００２９】
光ピックアップ装置１が搭載されるディスク装置は、図４に示す直径が１２ｃｍのディスクＤの中心穴Ｄａを保持するターンテーブル、およびターンテーブルを駆動するスピンドルモータが設けられた回転駆動部を有している。
【００３０】
ディスク装置では、前記移動シャーシ２が、回転駆動部に装填されるディスクＤの記録面に対向してラジアル方向（Ｒ１−Ｒ２方向）に移動自在に支持されているとともに、移動シャーシ２をラジアル方向へ往復移動させるスレッド駆動機構（図示せず）が設けられている。
【００３１】
前記ベース１０は、鋼板などの磁性材料の金属板材によって形成されている。図２に示すように、ベース１０には、Ｔ２側に支持ヨーク１１ａが形成され、Ｔ１側に支持ヨーク１１ｂが形成されている。支持ヨーク１１ａのＴ１側に向く面にマグネット１２ａが支持されており、支持ヨーク１１ｂのＴ２側に向く面にマグネット１２ｂが支持されている。ベース１０には、マグネット１２ａのＴ１側に対向する対向ヨーク１３ａと、マグネット１２ｂのＴ２側に対向する対向ヨーク１３ｂが一体に形成されている。
【００３２】
ベース１０のＴ２側に、合成樹脂材料で形成された可動支持部材２０が設けられている。この実施の形態では、前記ベース１０が固定側部材であり、可動支持部材２０は、前記ベースに一体に形成された支持ヨーク１１ａのＴ２側において軸中心線Ｏ１に沿ってＴ１−Ｔ２方向へ進退自在で且つ軸中心線Ｏ１の回りをα方向とβ方向へ回動自在に支持されている。
【００３３】
図１と図２に示すように、可動支持部材２０のＴ２側に向く外面に支持基板２８が固定されており、この支持基板２８のＲ１側とＲ２側に、弾性支持部材であるワイヤ２９の基部が固定されている。ワイヤ２９はＲ１側に２本、Ｒ２側に２本設けられている。図３に示すように、可動支持部材２０には４箇所に貫通穴２０ｃが形成されており、それぞれのワイヤ２９は、貫通穴２０ｃの内部を通してＴ１方向へ延びている。ベース１０で囲まれた部分に合成樹脂製のレンズホルダ３０が設けられており、このレンズホルダ３０のＲ１側とＲ２側のそれぞれの側部が２本のワイヤ２９の先部に固定されている。ワイヤ２９は、金属製のばね材であり、このワイヤ２９が撓むことによって、レンズホルダ３０は、光軸方向（Ｆ１−Ｆ２方向）およびラジアル方向（Ｒ１−Ｒ２方向）などに移動自在に支持されている。
【００３４】
図２に示すように、レンズホルダ３０にはＦ１−Ｆ２方向に貫通する鏡筒３１が形成されており、鏡筒３１の内部上端に対物レンズ５が保持されている。
【００３５】
前記ベース１０の支持ヨーク１１ａと可動支持部材２０との間に、軸支持機構１５が設けられている。図２および図３に示すように、軸支持機構１５には、支持ヨーク１１ａのＴ２側の外面からＴ２方向に突出する支持軸部１６が設けられている。支持軸部１６は、支持ヨーク１１ａと一体に絞り成形されたものである。支持軸部１６の外周面１６ａは軸中心線Ｏ１を中心とする滑らかな円筒面である。支持軸部１６の内周面１６ｂは円筒面であり、雌ねじが刻まれている。なお、支持軸部１６が支持ヨーク１１ａと別体に形成され、この支持軸部１６が支持ヨーク１１ａの外面に固定されていてもよい。
【００３６】
図２に示すように、可動支持部材２０のラジアル方向（Ｒ１−Ｒ２方向）のほぼ中心位置に、Ｔ１側に向けて開口する摺動穴２１と、Ｔ２側に開口する挿通穴２２が形成されている。摺動穴２１と挿通穴２２は共にその内周面が円筒面であり、それぞれの円筒面の中心が前記軸中心線Ｏ１と一致している。図２に示すように、支持軸部１６は、摺動穴２１の内部にほとんど隙間なく挿通されており、可動支持部材２０は、支持軸部１６の外周面１６ａに対して軸中心線Ｏ１に沿う方向へ摺動でき、且つ軸中心線Ｏ１を中心として回動できる。
【００３７】
すなわち、軸支持機構１５では、可動支持部材２０が、軸中心線Ｏ１に沿って、支持ヨーク１１ａに接近する方向（Ｔ１方向）と支持ヨーク１１ａから離れる方向（Ｔ２方向）へ直線的に往復移動自在であり、且つ可動支持部材２０が軸中心線Ｏ１を中心としてα方向またはβ方向へ回動自在である。
【００３８】
図２と図３に示すように、可動支持部材２０には、摺動穴２１よりもさらに外周部に、Ｔ１側に開口するばね収納凹部２３が形成されており、ばね収納凹部２３内に調整用のばね部材としてトーションコイルばね２４が収納されている。トーションコイルばね２４の巻き本体部２４ａは、圧縮された状態で、支持ヨーク１１ａの外面とばね収納凹部２３のＴ２側の内面との間に挟まれている。巻き本体部２４ａが圧縮コイルばねとして機能し、可動支持部材２０は、支持ヨーク１１ａの外面に対してＴ２方向へ離れる向きに常に付勢されている。
【００３９】
図２に示すように、可動支持部材２０には、Ｔ２側の外方から挿通穴２２の内部に向けて進退調整ねじ２５が挿通されている。進退調整ねじ２５は雄ねじ部２５ａと頭部２５ｂを有しており、雄ねじ部２５ａが、支持軸部１６の内周面１６ｂに形成された雌ねじに螺着され、頭部２５ｂが、可動支持部材２０のＴ２側に向く外面に突き当てられている。
【００４０】
トーションコイルばね２４と進退調整ねじ２５とで進退調整機構が構成されている。この進退調整機構では、進退調整ねじ２５をねじ込むと、可動支持部材２０が支持ヨーク１１ａの外面に接近するＴ１方向へ移動させられ、進退調整ねじ２５を弛めると、可動支持部材２０が支持ヨーク１１ａからＴ２方向へ離れるように移動する。この進退調整機構によって、光軸Ｏａを傾けることなく、対物レンズ５がＴ１−Ｔ２方向へ直線的に往復移動する。
【００４１】
図１に示すように、ベース１０には、支持ヨーク１１ａからさらにＴ２方向へ折り曲げられたばね支持片１７が一体に形成されている。図３に示すように、トーションコイルばね２４に設けられた一方の腕部２４ｂがばね支持片１７に下側から支持されている。図３に示すように、ばね収納凹部２３の内部にはばね掛け部２３ａが形成されており、トーションコイルばね２４の他方の腕部２４ｃが、ばね掛け部２３ａに下側から掛けられている。トーションコイルばね２４の捩じり弾性力によって、可動支持部材２０は、軸中心線Ｏ１を中心としてα方向へ回動付勢されている。
【００４２】
図１と図３に示すように、ベース１０には後方（Ｔ２方向）に延びるねじ支持片１８が一体に形成されており、このねじ支持片１８に雌ねじ穴１８ａが形成されている。また、可動支持部材２０の一部に押圧部２７が形成され、この押圧部２７がねじ支持片１８の上に対向している。雌ねじ穴１８ａには下側から回動調整ねじ２６が螺着されており、その雄ねじ部２６ａの先部が上に向けられている。可動支持部材２０は、トーションコイルばね２４の捩じり弾性力でα方向へ付勢されており、その付勢力で押圧部２７の下面が雄ねじ部２６ａの先端に突き当てられている。
【００４３】
トーションコイルばね２４と回動調整ねじ２６によってラジアル方向の回動調整機構が構成されている。ラジアル方向の回動調整機構では、回動調整ねじ２６を締めると、可動支持部材２０が軸中心線Ｏ１を中心としてβ方向へ回動させられ、回動調整ねじ２６を弛めると、可動支持部材２０がα方向へ回動させられる。この調整によって、対物レンズ５の光軸Ｏａのラジアル方向（Ｒ１−Ｒ２方向）の傾きが決められる。
【００４４】
トーションコイルばね２４は、進退調整機構のばね部材およびラジアル方向の回動調整機構のばね部材として共通に使用されているため、部品数を削減することができる。
【００４５】
前記ベース１０と前記ブラケット３との間には、回動案内部が設けられている。この回動案内部の詳細な構造は省略するが、図１に示すように、前記光軸Ｏａと前記軸中心線Ｏ１の双方に直交する仮想線をラジアル中心線Ｏ２としたときに、ブラケット３上において、前記ベース１０がラジアル中心線Ｏ２を中心としてγ１方向とγ２方向へ回動自在に支持されている。
【００４６】
図２に示すように、移動シャーシ２とベース１０との間には、ベース１０を常にγ１方向へ付勢する付勢部材として引張りコイルばね４２が設けられている。また、移動ベース２のＴ２側に貫通して形成された挿通穴２ａに下側から回動調整ねじ４１が挿通されており、この回動調整ねじ４１の雄ねじ部がベース１０のＴ２側の端部に螺着されている。
【００４７】
前記回動案内部と引張りコイルばね４２と回動調整ねじ４１によって、タンジェンシャル方向の回動調整機構が構成されている。回動調整ねじ４１を弛めると、ベース１０がγ１方向へ回動し、回動調整ねじ４１を締め付けると、ベース１０がγ２方向へ回動する。この調整によって、対物レンズ５の光軸Ｏａのタンジェンシャル方向（Ｔ１−Ｔ２方向）への傾きが決められる。
【００４８】
移動シャーシ２には、光学系を構成する発光素子と受光素子およびその他の光学素子が配置されている。図２に示すように、移動シャーシ２の上には、前記光学素子のひとつであるプリズム６が配置されている。プリズム６は全反射面６ａを有しており、この全反射面６ａは、光軸方向（Ｆ１−Ｆ２方向）およびタンジェンシャル方向（Ｔ１−Ｔ２方向）の双方に対して４５度の角度に向けられている。
【００４９】
発光素子から発せられてＴ２方向へ送られる光は、プリズム６の全反射面６ａで反射されてＦ１方向に向けられ、対物レンズ５に集光されて、図４に示すようにディスクＤの記録面に光スポットＳが形成される。この光スポットＳのエネルギーにより、ディスクＤの記録面への情報の書き込みが可能となる。情報の再生を行うときは、ディスクＤの記録面に形成された光スポットＳからの反射光が、対物レンズ５を通過して全反射面６ａで反射され、Ｔ１方向へ送られて受光素子で受光される。
【００５０】
図２に示すように、レンズホルダ３０には、Ｔ２側に上下に貫通する穴３２が形成され、Ｔ１側にその上面からＦ２方向に窪む凹部３３が形成されている。ベース１０のＴ２側に一体に形成された対向ヨーク１３ａは穴３２に入り込んでおり、ベース１０のＴ１側に一体に形成された対向ヨーク１３ｂは凹部３３の内部に入り込んでいる。
【００５１】
図１と図２に示すように、レンズホルダ３０の側面には、フォーカシングコイルＣｆが周回して形成されている。また、レンズホルダ３０のＴ１側に向く側面とＴ２側に向く側面に、トラッキングコイルＣｔが２個ずつ設けられている。図２に示すように、フォーカシングコイルＣｆとトラッキングコイルＣｔは、マグネット１２ａと対向ヨーク１３ａとの間、およびマグネット１２ｂと対向ヨーク１３ｂとの間に入り込んでいる。
【００５２】
マグネット１２ａと対向ヨーク１３ａとの間の磁界ならびにマグネット１２ｂと対向ヨーク１３ｂとの間の磁界が、フォーカシングコイルＣｆとトラッキングコイルＣｔに与えられる。フォーカシングコイルＣｆに与えられる電流によって、レンズホルダ３０がフォーカシング方向すなわち光軸方向（Ｆ１−Ｆ２方向）へ補正駆動され、トラッキングコイルＣｔに与えられる電流によって、レンズホルダ３０がトラッキング方向すなわちラジアル方向（Ｒ１−Ｒ２方向）へ補正駆動される。
【００５３】
フォーカシング補正駆動によって、ディスクＤの記録面に形成される光スポットＳの焦点が合うように補正され、トラッキング補正駆動によって、図４に示す光スポットＳが、ディスクＤの記録面の記録トラックｔｒを走査するように補正される。
【００５４】
次に、光ピックアップ装置１の調整方法を説明する。
ディスク装置に光ピックアップ装置１を搭載したときに、ターンテーブルに装填されるディスクＤの記録面に対する光軸Ｏａの傾きおよび位置の調整を行う。
【００５５】
まず、図２に示すタンジェンシャル方向の回動調整機構の回動調整ねじ４１のねじ込み量を調整して、ベース１０をγ１方向またはγ２方向へ回動させる。これにより、光軸Ｏａのタンジェンシャル方向（Ｔ１−Ｔ２方向）への傾きを変化させるチルト調整が行われる。
【００５６】
また、図１と図３に示すラジアル方向の回動調整機構の回動調整ねじ２６を締め付けまたは弛めて、可動支持部材２０を軸中心線Ｏ１を中心としてα方向またはβ方向へ回動させる。可動支持部材２０とワイヤ２９を介して連結されているレンズホルダ３０が可動支持部材２０と一緒にα方向またはβ方向へ回動する。これにより、対物レンズ５の光軸Ｏａをラジアル方向（Ｒ１−Ｒ２方向）へ傾けるラジアル方向のチルト調整が行われる。
【００５７】
図３に示すように、対物レンズ５の光軸Ｏａと軸中心線Ｏ１は同じ平面内に位置している。すなわち、光軸Ｏａと軸中心線Ｏ１は、それぞれの線上で交わっている。ラジアル方向のチルト調整では、対物レンズ５の光軸Ｏａが、この光軸Ｏａ上に存在する軸中心線Ｏ１との交点を支点としてα方向およびβ方向へ傾く。そのため、光軸Ｏａをラジアル方向に傾けたときに、ディスクＤの記録面と対物レンズ５との対向距離の変動が少ない。よって、ラジアル方向のチルト調整の後に、レンズホルダ３０のフォーカシング補正動作に必要以上の負担を与えることがない。
【００５８】
図１に示すように、タンジェンシャル方向へのチルト調整では、ベース１０がラジアル中心線Ｏ２を中心としてタンジェンシャル方向（Ｔ１−Ｔ２方向）に回動するが、ラジアル中心線Ｏ２と光軸Ｏａとを同じ平面に位置させることで、タンジェンシャル方向のチルト調整の際に、ディスクＤの記録面と対物レンズ５との対向距離の変動を少なくすることができる。
【００５９】
タンジェンシャル方向のチルト調整およびラジアル方向のチルト調整によって、対物レンズ５の光軸Ｏａが、ディスクＤの記録面に対してなるべく垂直に近い角度で対向するように調整される。光軸Ｏａを記録面に垂直に対向させることで、記録面に形成される光スポットＳの像を真円に近い理想的なものにでき、情報の記録精度や情報の再生精度を高めることができる。
【００６０】
図４は、光スポットＳのトラッキング補正方向（Ｒ１−Ｒ２方向）が、ディスクＤの法線ｒ１と一致していない状態を示している。この場合、光スポットＳのトラッキング補正方向（Ｒ１−Ｒ２方向）と、光スポットＳが位置する法線ｒ２との間に０度を越える大きさの角度θが形成されてしまう。この場合、光スポットＳのトラッキング補正方向（Ｒ１−Ｒ２方向）と、光スポットＳが存在している位置での記録トラックｔｒの接線とが直角にならないため、高精度なトラッキング補正を実現しにくくなる。
【００６１】
光ピックアップ装置１では、図１と図３に示す進退調整機構の進退調整ねじ２５を締め付けまたは弛めることで、可動支持部材２０を軸中心線Ｏ１に沿ってＴ１方向またはＴ２方向へ移動させることができ、これに伴ってレンズホルダ３０をＴ１方向またはＴ２方向へ移動させることができる。この調整によって、対物レンズ５の光軸Ｏａを移動させて、光スポットＳの位置を法線ｒ１上に合わせることが可能となる。この補正では、光軸Ｏａを傾かせる必要がないため、トラッキング方向のチルト調整とラジアル方向のチルト調整とは切り離して、光軸Ｏａの位置を移動させることができ、光軸Ｏａの位置調整の結果、光スポットＳの像が歪むことを防止できる。
【００６２】
なお、前記実施の形態では、進退調整機構を構成するばね部材と回動調整機構を構成するばね部材として、共通のトーションコイルばね２４を使用しているが、進退調整機構と回動調整機構とで、別々のばね部材を使用してもよい。
【００６３】
また、前記実施の形態では、対物レンズ５の光軸Ｏａと軸中心線Ｏ１とが同じ平面内に位置する理想的な状態を示しているが、対物レンズ５の光軸Ｏａと軸中心線Ｏ１とが同じ面内に位置せず、それぞれの線上で交わらずに互いに離れた位置で交叉してもよい。
【符号の説明】
【００６４】
１  光ピックアップ装置
２  移動シャーシ
５  対物レンズ
１０  ベース
１１ａ，１１ｂ  支持ヨーク
１２ａ，１２ｂ  マグネット
１３ａ，１３ｂ  対向ヨーク
１５  軸支持機構
１６  支持軸部
２０  可動支持部材
２４  トーションコイルばね
２５  進退調整ねじ
２６  回動調整ねじ
２９  ワイヤ
３０  レンズホルダ
Ｃｆ  フォーカシングコイル
Ｃｔ  トラッキングコイル
Ｏａ  光軸
Ｏ１  軸中心線
【図１】
0005436077.tif 000002
【図２】
0005436077.tif 000003
【図３】
0005436077.tif 000004
【図４】
0005436077.tif 000005